(57)【要約】  半導体を利用して発光する固体発光素子（１１１）を複数個備える光源（１０１）と、光源（１０１）から放射される光の一部のみを通過させる開口（１２１）を備える遮蔽体（１０２）と、開口（１２１）を通過した光をスポットライトにするレンズ（１０３）と、レンズ（１０３）と遮蔽体（１０２）との間に配置され、レンズ（１０３）から外れる方向に進行する光をレンズ（１０３）に達するように反射する反射体（１０６）とを備える。
2012077269.tif 000002
【特許請求の範囲】
【請求項１】
半導体を利用して発光する固体発光素子を複数個備える光源と、
前記光源から放射される光の一部のみを通過させる開口を備える遮蔽体と、
前記開口を通過した光をスポットライトにするレンズと、
前記レンズと前記遮蔽体との間に配置され、前記レンズから外れる方向に進行する光を前記レンズに達するように反射する反射体と
を備える照明装置。
【請求項２】
前記反射体の前記レンズの光軸に沿う方向の長さは、前記レンズの口径以上、前記レンズと前記遮蔽体との距離未満である
請求項１に記載の照明装置。
【請求項３】
前記レンズの光軸に沿う方向の位置関係において、前記反射体の端部の位置は、前記レンズの位置と同じである
請求項１または請求項２に記載の照明装置。
【請求項４】
前記反射体は、
樹脂で形成される基体と、
前記基体の表面に設けられて光を反射する反射膜とを備える
請求項３に記載の照明装置。
【請求項５】
前記光源が備える前記固体発光素子は、同一平面内に複数個配置され、かつ、前記固体発光素子の光軸が前記固体発光素子が配置される平面に対して垂直な方向に沿って配置され、
前記開口は、前記光源から放射される光が隙間無く通過する大きさを有し、前記光が隙間無く通過する位置、かつ、中心が前記光源の光軸と重なる位置に配置される
請求項１〜請求項４のいずれか１項に記載の照明装置。
【請求項６】
前記開口の中心から仮想的に前記光源の光軸に沿って到達する前記光源上の点から前記固体発光素子が配置される領域である配置領域の端縁までの距離の内の最も短い距離を最短距離とした場合、前記開口の中心から開口端までの距離のうちもっとも長い距離である開口長は、前記最短距離の０．５倍以上、０．８倍以下の範囲にある
請求項５に記載の照明装置。
【発明の詳細な説明】
【技術分野】
【０００１】
本願発明は、舞台装置やスタジオ、店頭ディスプレイなどに用いられるスポットライトを創出することのできる照明装置に関する。
【背景技術】
【０００２】
従来、発熱の低減や消費電力の抑制を目的として、ＬＥＤ（発光ダイオード）等の半導体を利用して発光する固体発光素子が複数個並べて配置されるものを光源とする照明装置がある。当該照明装置の構成は、従来のフィラメントを利用して発光する電球を光源とした照明装置の構成と類似しており、光源から放射された光を遮蔽体の開口に通過させ、開口を通過した光をレンズにより集光してスポットライトとして放射する構成が採用されている（例えば、特許文献１参照。）。【０００３】
このような照明装置では、複数の固体発光素子から放射される光が遮蔽体の開口で重なりあうため、配光むらが軽減することが可能となる。
【先行技術文献】
【特許文献】
【０００４】
【特許文献１】特開２００９−４２７６号公報
【発明の概要】
【発明が解決しようとする課題】
【０００５】
ところが、複数の固体発光素子からなる光源を備えた前記照明装置の場合、創出するスポットライトの配光むらや色むらの低減を考慮した構成を採用すると、投入する電力に対して期待されるスポットライトの光量を得ることが困難な場合があった。【０００６】
そこで、本願発明者は、鋭意研究と実験との結果、前記光源から放射される光はランバーシアン配光の傾向が強いため、遮蔽体の開口を通過した光の一部がレンズに到達せずにスポットライトとして有効に利用されていないことを見いだすに至った。【０００７】
本願発明は、前記知見に基づきなされたものであり、配光むらや色むらの低減を考慮しつつ十分な光量のスポットライトを創出することのできる照明装置の提供を第一の目的とする。【０００８】
本願発明者らはさらに、前記目的を達成しうる照明装置は、重量が増加する傾向にあり、スポットライトの位置を変更する場合などに支障をきたすことを見いだすに至った。【０００９】
本願発明は、前記知見に基づきなされたものであり、装置全体の耐熱性能を確保しつつ軽量化を図ることのできる照明装置の提供を第二の目的とする。
【課題を解決するための手段】
【００１０】
上記目的を達成するために、本願発明にかかる照明装置は、半導体を利用して発光する固体発光素子を複数個備える光源と、前記光源から放射される光の一部のみを通過させる開口を備える遮蔽体と、前記開口を通過した光をスポットライトにするレンズと、前記レンズと前記遮蔽体との間に配置され、前記レンズから外れる方向に進行する光を前記レンズに達するように反射する反射体とを備えることを特徴とする。【００１１】
これによれば、同等の電力を投入した場合でもスポットライトの光量を向上させることのできる照明装置とすることが可能となる。【００１２】
前記反射体の前記レンズの光軸に沿う方向の長さは、前記レンズの口径以上、前記レンズと前記遮蔽体との距離未満であることが好ましい。【００１３】
これにより、創出されるスポットライトの光量を十分に確保しつつ、反射体の大きさを適正化することができ、照明装置全体の重量の低減を図ることが可能となる。【００１４】
前記レンズの光軸に沿う方向の位置関係において、前記反射体の端部の位置は、前記レンズの位置と同じであっても良い。【００１５】
これによれば、反射体は遮蔽体に直接接触することが無いため、遮蔽体から伝達した熱により反射体がひずむなどの悪影響を回避することが可能となる。【００１６】
前記反射体は、樹脂で形成される基体と、前記基体の表面に設けられて光を反射する反射膜とを備えるものでも良い。【００１７】
これによれば、遮蔽体からの伝達する熱の影響を考慮することなく照明装置全体の重量の低減を図ることが可能となる。【００１８】
前記光源が備える前記固体発光素子は、同一平面内に複数個配置され、かつ、前記固体発光素子の光軸が、前記固体発光素子が配置される平面に対して垂直な方向に沿って配置され、前記開口は、前記光源から放射される光が隙間無く通過する大きさを有し、前記光が隙間無く通過する位置、かつ、中心が前記光源の光軸と重なる位置に配置されるものでも良い。【００１９】
これによれば、十分な光量を確保しつつ、スポットライトの中心部と周縁部との間の色むらを可及的に抑えることが可能となる。従って、スポットライトが照射される部分を看取する看者に対し、明瞭でくっきりとした印象を与えることが可能なスポットライトを照射することができる。【００２０】
前記開口の中心から仮想的に前記光源の光軸に沿って到達する前記光源上の点から前記固体発光素子が配置される領域である配置領域の端縁までの距離の内の最も短い距離を最短距離とした場合、前記開口の中心から開口端までの距離のうちもっとも長い距離である開口長は、前記最短距離の０．５倍以上、０．８倍以下の範囲にあることが好ましい。【００２１】
以上のような開口長となる開口を有した遮蔽体とすれば、スポットライトの中心部と周縁部との間の色むらを押さえつつ、十分な光量を確保したスポットライトを照射する照明装置とすることが可能となる。
【発明の効果】
【００２２】
本願発明の照明装置によれば、消費電力を抑えつつ十分な光量のスポットライトを照射することができ、また、軽量であるためスポットライトの操作を容易に行うことが可能となる。
【図面の簡単な説明】
【００２３】
【図１】図１は、内部構造を示すため照明装置を断面で示す平面図である。
【図２】図２は、照明装置の外観を示す斜示図である。
【図３】図３は、面状光源を発光方向から示す平面図である。
【図４】図４は、開口と面状光源との関係を断面で示す平面図である。
【図５】図５は、光源の配置領域と開口との関係を示すために配置領域と開口とを仮想的に同一平面に並べて模式的に示す図である。
【図６】図６は、最短距離を一定とした場合の、開口の半径と色ずれ量（色むらの大きさ）との関係を示すグラフである。
【図７】図７は、最短距離を一定とした場合の、開口の半径と光利用率との関係を示すグラフである。
【図８】図８は、反射体の長さとスポットライトの照度との関係を示すグラフである。
【図９】図９は、反射体の表面構造を断面で示す平面図である。
【図１０】図１０は、他の実施の形態にかかる照明装置を断面で示す平面図である。
【発明を実施するための形態】
【００２４】
次に、本願発明に係る照明装置の実施の形態について、図面を参照しつつ説明する。なお、以下の実施の形態は、本願発明に係る照明装置の一例を示したものに過ぎない。従って本願発明は、以下の実施の形態を参考に請求の範囲の文言によって範囲が画定されるものであり、以下の実施の形態のみに限定されるものではない。
【００２５】
図１は、内部構造を示すため照明装置を断面で示す平面図である。
【００２６】
図２は、照明装置の外観を示す斜示図である。
【００２７】
これらの図に示すように、照明装置１００は、光源１０１と、遮蔽体１０２と、レンズ１０３と、反射体１０６と、筐体１０５とを備えている。
【００２８】
図３は、光源を発光方向から示す平面図である。
【００２９】
光源１０１は、半導体を利用して発光する固体発光素子１１１が、平面内（図中ＹＺ平面内）に複数個配置されたものである。
【００３０】
固体発光素子１１１は、例えばＬＥＤ（発光ダイオード）や有機ＥＬ素子などを挙示することができる。具体的に例えば、固体発光素子１１１としては、青色光を発光する青色ＬＥＤチップ等が用いられる。青色ＬＥＤチップとしては、ＩｎＧａＮ系の材料によって構成された、中心波長が４５０［ｎｍ］〜４７０［ｎｍ］の窒化ガリウム系の半導体固体発光素子等を用いることができる。
【００３１】
また、前記固体発光素子１１１として、有機ＥＬを用いることも可能である。例えば、赤色光を発光するリン光ドーパントのビス（１−フェニルイソキノリン）イリジウムアセチルアセトネート［ｐｑ２Ｉｒ（ａｃａｃ）］系発光層、緑色光を発光するトリス（２−フェニルピリジナート）イリジウム（III）系発光層、青色光を発光するターシャリーブチルホスフィン（ＴＢＰ）系発光層からなる３色発光方式の有機ＥＬにて構成することができる。
【００３２】
本実施の形態の場合、光源１０１は、複数の発光モジュール１１０をマトリクス状に並べた状態で備えている。発光モジュール１１０は、基板１１３と、基板１１３の表面にマトリクス状に取り付けられる複数個の固体発光素子１１１と、固体発光素子１１１の基板１１３と反対側（光が放射される側）に設けられる蛍光体含有部材１１２とを備えている。また、複数の固体発光素子１１１が曲面上ではなく同一平面上に配置されるように発光モジュール１１０が配置されている。
【００３３】
このように光源１０１を複数の発光モジュール１１０で構成することで、例えば家庭用の照明に用いられるような汎用性のある発光モジュール１１０を利用して大きな光量のスポットライトを創出することが可能となる。また、平面である基板１１３の表面に実装された発光モジュール１１０を用いることで、発光モジュール１１０自体の構造を簡略化でき光源１０１の生産が容易かつ低コストとなる。
【００３４】
蛍光体含有部材１１２は、単一色で発光する固体発光素子１１１からの光の一部を蛍光体に吸収させると共に、異なる波長の光を蛍光体から発生させ、固体発光素子１１１からの光と前記蛍光体からの光を混ぜ合わせて外部に放射することにより、白色光など照明に適用しうる色を放射する部材である。蛍光体含有部材１１２は、透明、又は、半透明の樹脂に蛍光体が分散した状態で存在するものである。また、蛍光体含有部材１１２は、固体発光素子１１１を封止する機能を備えており、固体発光素子１１１を空気や湿気から保護する。
【００３５】
なお、固体発光素子１１１を被覆するための封止部材と蛍光体含有部材１１２とを別体としてもよく、これらの材料は、樹脂に限定されるものではない。例えば、チップ封止用として知られている、ガラスのような透明性材料であってもよい。
【００３６】
また、蛍光体含有部材１１２に含まれる蛍光体は、微粒子等からなる光波長変換体である。蛍光体は例えば、固体発光素子１１１が青色ＬＥＤである場合、白色光を得るために、黄色蛍光体の微粒子が好適に用いられる。この黄色蛍光体としては、ＹＡＧ（イットリウム・アルミニウム・ガーネット）系蛍光体材料、やシリケート系蛍光体材料などが例示できる。また、前記蛍光体を分散状に担持する樹脂としては、シリコーン樹脂を例示することができる。
【００３７】
基板１１３は、固体発光素子１１１が表面に取り付けられる矩形板状の部材である。例えば基板１１３は、酸化アルミニウム等のセラミック基板で構成される。なお基板１１３の材質は限定されるものではなく、絶縁性を備える材料であれば、樹脂やガラス等でもかまわない。また、基板１１３は、剛体ばかりでなく、可撓性を備えたフレキシブル基板でもよい。
【００３８】
また光源１０１において固体発光素子１１１は、ＹＺ平面に対して垂直な軸（Ｘ軸）方向に光軸が沿うように配置されている。固体発光素子１１１のこのような配置により光源１０１全体としては、ＹＺ平面に対して垂直な軸（Ｘ軸）方向に沿い光軸が沿い、固体発光素子１１１の配置領域Ａの中央部を通る光軸を備える。
【００３９】
ここで、光軸とは放射される光の内、最も強い光の位置と光源の位置とを仮想的に結ぶ軸である。つまり、固体発光素子１１１の配向性を示す軸や光源１０１の配光性を示す軸が光軸となる。
【００４０】
また図１、図２に示すように、光源１０１には放熱手段１１４が取り付けられている。これは、光源１０１が光を放射する際に発生する熱を空気中に放熱するものである。放熱手段１１４としては、例えば、光源１０１に接触する板部材に複数のフィンが設けられた放熱体と、該放熱体のフィンの間を通過する空気流を発生させ、フィンと空気との間の熱交換を効率よく行わせるファンとを備えた放熱手段１１４を例示できる。
【００４１】
図４は、遮蔽体の開口と光源との関係を断面で示す平面図である。
【００４２】
遮蔽体１０２は、いわゆるアパーチャと称される板状の部材であり、光源１０１から放射される光の一部のみを通過させる開口１２１を備えている。本実施の形態の場合、遮蔽体１０２は、光源１０１の複数の固体発光素子１１１からそれぞれ放射される光Ｌが隙間無く通過する大きさを有し、光源１０１から放射される光が隙間無く通過する位置、かつ、中心が光源１０１の光軸Ｂと重なる位置に配置される開口１２１を備えている。
【００４３】
以上のような開口１２１の大きさ、および、光源１０１と開口１２１との位置関係を採用することで、創出されるスポットライトの色むらの発生を抑制することが可能となる。特に本実施の形態のように並べられた複数の発光モジュール１１０で構成される光源１０１の場合、一の発光モジュール１１０と隣接する他の発光モジュール１１０との間に大きな非発光部分が発生するが、開口１２１に隙間無く光Ｌを通過させる大きさ及び位置関係とすることにより、スポットライトの色むらを抑制することが可能となる。
【００４４】
遮蔽体１０２は、薄い板状の部材であり、厚さ方向に貫通する孔である開口１２１が設けられている。また、遮蔽体１０２の少なくとも光源１０１側の面には反射を極力抑えた加工（つや消し黒色の塗装や、黒色のメッキなど）が施されている。また本実施の形態の場合、開口１２１は円形となっており、光源１０１と開口１２１とが平行となるように配置されている。
【００４５】
図５は、光源の配置領域と開口との関係を示すために配置領域と開口とを仮想的に同一平面に並べて模式的に示す図である。
【００４６】
同図に示すように、開口１２１の中心Ｃから仮想的に光源１０１の光軸Ｂに沿って到達する光源１０１上の点Ｐから固体発光素子１１１が配置される領域である配置領域Ａの端縁までの距離の内の最も短い距離を最短距離Ｄとした場合、開口１２１の中心から開口端までの距離のうちもっとも長い距離であるである開口長Ｒ（本実施の形態の場合は半径）は次式を満たすことが好ましい。
【００４７】
０．５Ｄ≦Ｒ≦０．８Ｄ
【００４８】
開口長Ｒを最短距離Ｄの０．８倍以下とするのは、図６のグラフで示すように、開口長Ｒが最短距離Ｄの０．８倍よりも長くなると、スポットライトの中心部と周縁部との間の色ずれ量が０．５（ａ．ｕ．）を超えて急激に悪化するためである。
【００４９】
ここで、周縁部において色ずれ量を評価した点は、中心部の照度と比較して照度が１／１０となる点とした。
【００５０】
また、色ずれ量とは、スポットライトの中心部の色を色ずれ量ゼロとしたときの、中心部と周縁部との間の色の変化量の絶対値（ケルビン）である。図６に示すグラフは、Ｒ／Ｄ＝１における中心部と周縁部の色ずれ量を１としたときの、各Ｒ／Ｄにおける色ずれ量を相対比較したものである。
【００５１】
開口長Ｒを最短距離Ｄの０．５倍以上とするのは、図７のグラフで示すように、開口長Ｒが最短距離Ｄの０．５倍より短くなると、光利用率が３０％以下となりスポットライトとして必要な光量を得ることができなくなるためである。
【００５２】
なお、図７に示すグラフは、Ｒ／Ｄ＝１において実際に光源１０１からレンズ１０３に取り込まれる光量(有効光束)を１としたときの、各Ｒ／Ｄにおける有効光束を相対比較したものである。
【００５３】
また、遠方に灯光させた領域の中心部と周縁部との間の色ずれ量が発生するのは、レンズ１０３がスポットライトとして遠方に灯光させるための仕様であり、光源１０１がランバーシアン配光をとるためである。すなわち、光源１０１で発光した青色から赤色に及ぶ色成分がレンズ１０３を通過したことで、レンズ１０３における青色から赤色成分の屈折率の違いがあり、灯光領域で中心部と周縁部との間の色ずれが原理的に発生する。ランバーシアン光源である光源１０１であれば色ずれがさらに大きくなる。この色ずれをスポットライトの中心部と周縁部との間で０．５（ａ．ｕ．）以下に抑えるために、ランバーシアン光源の光源１０１とレンズ１０３の間に遮蔽体１０２を配置して、レンズ１０３に入射される前に光源１０１の青色から赤色成分を一様に保てばよいこととなる。これはレンズの位置や大きさと関係なく起こり、上記０．５Ｄ≦Ｒ≦０．８Ｄの関係を満たせば、スポットライトの中心部と周縁部との間の色ずれ量を０．５（ａ．ｕ．）以下に抑えることができる。
【００５４】
レンズ１０３は、開口１２１を通過した光、つまり開口１２１を疑似光源として放射される光をスポットライトにするものである。本実施の形態の場合、照明装置１００は、スポットライト創出用のレンズ１０３の他、レンズ１０３と開口１２１との間に第二レンズ１３１とを備えている。第二レンズ１３１は、複数の固体発光素子１１１のそれぞれから放射される光をぼやけさせる（拡散させる）ことで第二レンズ１３１を通過させた後の光を均一化（粒々感の抑制）する機能を担っている。従って、レンズ１０３は、第二レンズ１３１によって均一化された光でスポットライトを作り出すこととなる。レンズ１０３や第二レンズ１３１の材質は、特に限定されるものではないが、アクリル、ポリカーボネイトなどの樹脂で形成されるレンズを採用することにより照明装置１００の軽量化を図ることが可能となる。また、レンズ１０３、第二レンズ１３１の光軸が開口１２１の中心を通過する光源１０１の光軸と一致するように、レンズ１０３と第二レンズ１３１とは筐体１０５に取り付けられている。
【００５５】
反射体１０６は、レンズ１０３と遮蔽体１０２との間に配置され、レンズ１０３から外れる方向に進行する光をレンズ１０３に達するように反射する部材である。
【００５６】
本実施の形態の場合、図１に示すように、反射体１０６は、円筒状の部材であり、レンズ１０３の光軸に沿う方向（図中Ｘ軸方向）の長さは、レンズ１０３の口径以上、レンズ１０３と遮蔽体１０２との距離未満である。具体的に例えば、レンズ１０３の口径が１５０ｍｍである場合、レンズ１０３の焦点距離にもよるがレンズ１０３と遮蔽体１０２との距離は２００ｍｍ程度である。従って、反射体１０６のレンズ１０３の光軸に沿う方向の長さは、１５０ｍｍ以上、２００ｍｍ以下の範囲にある。
【００５７】
反射体１０６の長さをこのように制限することで、図８のグラフに示すように、反射体１０６が無い場合（反射体長さ０）に対して、創出されるスポットライトの光量（照度）を十分に確保しながら、照明装置１００における反射体１０６による重量の増加を低減することが可能となる。
【００５８】
さらに、反射体１０６の光取出孔１５１側の端部の位置は、図１に示すように、レンズ１０３の光軸に沿う方向（Ｘ軸方向）の位置関係において、レンズ１０３の位置と同じである。なお、「同じ」とはほぼ同じ位置を含む意味であり、反射体１０６の端部がレンズ１０３の位置に対して多少前後していても、「同じ」位置に含まれる。
【００５９】
反射体１０６をこのように配置することで、開口１２１を擬似的な光源として進行する光の内、レンズ１０３から外れる方向に進行する光を反射によりレンズ１０３にほとんど到達させることが可能となる。さらに、遮蔽体１０２と反射体１０６との間隔Ｅを開けることができ、遮蔽体１０２の熱によって反射体１０６が受ける影響を低減することが可能となる。
【００６０】
従って、反射体１０６の構造的な基礎となる基体１６１（図９参照）をポリカーボネートなどのような樹脂で形成し、基体１６１の表面に光を反射する反射膜１６２が設けられた反射体１０６とすることが可能となる。
【００６１】
さらに、反射体１０６の内方に熱がこもることを回避でき、レンズ１０３や第二レンズ１３１等に対する熱的な影響も低減することができる。従って、樹脂製のレンズを採用することが可能となる。
【００６２】
このような樹脂製の反射体１０６を備えた照明装置１００は、投入する電力に対し十分な光量を確保しながら軽量であり、かつ、反射体１０６が熱的な影響を受けることなく長時間使用することが可能となる。
【００６３】
なお、樹脂製の基体１６１に反射膜１６２を設ける方法は任意の方法を採用しうる。例えば、基体１６１にアルミなどの金属製の箔やシートなどを貼り付ける方法や、基体１６１に蒸着により金属などの膜を成膜する方法、反射機能を備えた樹脂製のフィルムとともに基体１６１をインサート成形する方法などを例示できる。
【００６４】
また、反射体１０６は、円筒形状ばかりでなく、円以外の断面形状を備えた筒状のものでもかまわない。さらに、反射体１０６の一部が切り欠かれているものや、孔が設けられているものでもかまわない。
【００６５】
筐体１０５は、光源１０１と遮蔽体１０２とレンズ１０３とを収容することができる空洞の部材である。本実施の形態の場合、筐体１０５は、断面が矩形の角筒状であり、光源１０１が配置される端部は放熱手段１１４等により閉鎖され、他端はスポットライトを照射するための光取出孔１５１が設けられている。筐体１０５は、つや消し黒色の塗装がなされた金属又は樹脂により形成されることが好ましい。
【００６６】
以上のような照明装置１００とすることにより、照明装置１００自体の重量の軽量化を図りつつ、配光むらや色むらの発生が抑制され十分な光量のスポットライトを創出することが可能となる。さらに、照明装置１００が備える反射体１０６は、遮蔽体１０２を介した熱の伝導が間隔Ｅにより遮断されているため熱的な影響を受けにくく、特に、樹脂からなる軽量の反射体１０６を用いても、反射膜１６２が基体１６１から浮いたり剥がれたりするような変化や経時的な劣化を低減することが可能となる。
【００６７】
また、光源１０１から放射された光が開口１２１を隙間無く通過するため、レンズ１０３を介して照射されるスポットライトは、色むらの発生が可及的に抑制され、輪郭がはっきりと看取できるものとなる。
【００６８】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００６９】
例えば、複数の発光モジュール１１０を備えた光源１０１ばかりでなく、１枚の基板に複数の固体発光素子１１１が取り付けられた光源１０１でもかまわない。また、固体発光素子１１１が配置される配置領域Ａは、正方形に限定されるわけではなく、円形など任意の形であってもかまわない。
【００７０】
また、照明装置１００は、光源１０１を発光させるための駆動回路を備えていてもかまわない。  
【００７１】
また、図１０に示すように、光源１０１と遮蔽体１０２との間にリフレクタ１０４を設けてもかまわない。
【００７２】
リフレクタ１０４は、光源１０１と遮蔽体１０２との間に、光源１０１を挟んで光源１０１の光軸Ｂに対して対象に配置され、光源１０１から放射された光を反射して開口１２１に向かわせるための部材である。
【００７３】
リフレクタ１０４は、光源１０１の外縁に沿って光源１０１を囲むように配置される４枚の平板状の部材で形成され、相互に対向する面は、鏡面処理が施されている。また、リフレクタ１０４は、光源１０１から遮蔽体１０２に至るまでの間を覆うように配置されており、リフレクタ１０４の端部の内方に収容された光源１０１の各固体発光素子１１１からの光を遮蔽体１０２の開口１２１に導光するものとなっている。
【００７４】
このように、照明装置１００にリフレクタ１０４をさらに設ければ、リフレクタ１０４内に光源１０１が収容される構成となるため、各固体発光素子１１１から放射される光のうち、開口１２１に直接到達しない光をリフレクタ１０４内で一段または多段反射させて開口１２１に導光することができる。これにより、開口１２１を通過する光の量が増えて照明装置１００の照射効率をさらに向上させることが可能となる。
【００７５】
なお、リフレクタ１０４は、光源１０１の周囲をすべて囲う必要はなく、対向する２枚の板状の鏡としても照射効率の向上を図ることが可能となる。また、光源１０１の外形に沿う必要はなく、配置領域Ａが矩形であっても、円筒形のリフレクタ１０４としても良い。また、リフレクタ１０４は、光を正反射するものばかりでなく、乱反射するものでもかまわない。
【産業上の利用可能性】
【００７６】
本願発明にかかる照明装置は、舞台やテレビスタジオに用いられるいわゆるスポットライトや、建造物をライトアップするための装置、店頭ディスプレイ用の装置等として利用可能である。
【符号の説明】
【００７７】
１００  照明装置
１０１  光源
１０２  遮蔽体
１０３  レンズ
１０４  リフレクタ
１０５  筐体
１０６  反射体
１１０  発光モジュール
１１１  固体発光素子
１１２  蛍光体含有部材
１１３  基板
１１４  放熱手段
１２１  開口
１３１  第二レンズ
１５１  光取出孔
１６１  基体
１６２  反射膜
Ａ  配置領域
Ｂ  光軸
Ｃ  中心
Ｄ  最短距離
Ｅ  間隔
Ｌ  光
Ｐ  点
Ｒ  開口長
Ｘ  軸方向
【図１】
2012077269.tif 000003
【図２】
2012077269.tif 000004
【図３】
2012077269.tif 000005
【図４】
2012077269.tif 000006
【図５】
2012077269.tif 000007
【図６】
2012077269.tif 000008
【図７】
2012077269.tif 000009
【図８】
2012077269.tif 000010
【図９】
2012077269.tif 000011
【図１０】
2012077269.tif 000012
【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
半導体を利用して発光する固体発光素子を複数個備える光源と、
前記光源から放射される光の一部のみを通過させる開口を備える遮蔽体と、
前記遮蔽体を介して前記光源から放射される光を拡散させる第二レンズと、
前記開口を通過した光をスポットライトにする第一レンズと、
前記第一レンズと前記遮蔽体との間に配置され、前記第二レンズを介して放射される光であって、前記第一レンズから外れる方向に進行する光を前記レンズに達するように反射する反射体と
を備える照明装置。
【請求項２】
前記反射体の前記レンズの光軸に沿う方向の長さは、前記レンズの口径以上、前記レンズと前記遮蔽体との距離未満である
請求項１に記載の照明装置。
【請求項３】
前記レンズの光軸に沿う方向の位置関係において、前記反射体の端部の位置は、前記レンズの位置と同じである
請求項１または請求項２に記載の照明装置。
【請求項４】
前記反射体は、
樹脂で形成される基体と、
前記基体の表面に設けられて光を反射する反射膜とを備える
請求項３に記載の照明装置。
【請求項５】
前記光源が備える前記固体発光素子は、同一平面内に複数個配置され、かつ、前記固体発光素子の光軸が前記固体発光素子が配置される平面に対して垂直な方向に沿って配置され、
前記開口は、前記光源から放射される光が隙間無く通過する大きさを有し、前記光が隙間無く通過する位置、かつ、中心が前記光源の光軸と重なる位置に配置される
請求項１〜請求項４のいずれか１項に記載の照明装置。
【請求項６】
前記開口の中心から仮想的に前記光源の光軸に沿って到達する前記光源上の点から前記固体発光素子が配置される領域である配置領域の端縁までの距離の内の最も短い距離を最短距離とした場合、前記開口の中心から開口端までの距離のうちもっとも長い距離である開口長は、前記最短距離の０．５倍以上、０．８倍以下の範囲にある
請求項５に記載の照明装置。
【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
半導体を利用して発光する固体発光素子を複数個備える光源と、
前記光源から放射される光の一部のみを通過させる開口を備える遮蔽体と、
前記遮蔽体を介して前記光源から放射される光を拡散させる第二レンズと、
前記開口を通過した光をスポットライトにする第一レンズと、
前記第一レンズと前記遮蔽体との間に配置され、前記第二レンズを介して放射される光であって、前記第一レンズから外れる方向に進行する光を前記レンズに達するように反射する反射体と
を備える照明装置。
【請求項２】
前記反射体の前記レンズの光軸に沿う方向の長さは、前記レンズの口径以上、前記レンズと前記遮蔽体との距離未満である
請求項１に記載の照明装置。
【請求項３】
前記レンズの光軸に沿う方向の位置関係において、前記反射体の端部の位置は、前記レンズの位置と同じである
請求項１または請求項２に記載の照明装置。
【請求項４】
前記反射体は、
樹脂で形成される基体と、
前記基体の表面に設けられて光を反射する反射膜とを備える
請求項３に記載の照明装置。
【請求項５】
前記光源が備える前記固体発光素子は、同一平面内に複数個配置され、かつ、前記固体発光素子の光軸が前記固体発光素子が配置される平面に対して垂直な方向に沿って配置され、
前記開口は、前記光源から放射される光が隙間無く通過する大きさを有し、前記光が隙間無く通過する位置、かつ、中心が前記光源の光軸と重なる位置に配置される
請求項１〜請求項４のいずれか１項に記載の照明装置。
【請求項６】
前記開口の中心から仮想的に前記光源の光軸に沿って到達する前記光源上の点から前記固体発光素子が配置される領域である配置領域の端縁までの距離の内の 最も短い距離を最短距離とした場合、前記開口の中心から開口端までの距離のうちもっとも長い距離である開口長は、前記最短距離の０．５倍以上、０．８倍以 下の範囲にある
請求項５に記載の照明装置。
【国際調査報告】
2012077269.tif 000013
2012077269.tif 000014
2012077269.tif 000015